(57)【要約】【課題】  ＩＣカードＡおよびＩＣカードＢおよび自動情報読み取り機を取りつけた自動車側と、情報管理部側とをネットワークでむすび、無免許運動防止および自動車の盗難防止をする。【解決手段】  ＩＣカードＡ１１２のＩＣチップ１１３に運転免許証が所持する運転免許証に記載されている記載事項のすべてと、識別番号と暗証番号とを登録して、ＩＣカードＡ１１２を運転免許証所持者が所持する。また、ＩＣカードＢ１３４のＩＣチップ１３５に、自動車を所有する自動車検査証に記載されている記載事項のすべてと識別番号と暗証番号とを登録して、ＩＣカードＢ１３４を自動車の所有者が所持する。そして、カード挿入口Ａ３、カード挿入口Ｂ４暗証番号入力ボタン５表示画面６情報読み取り部２１暗証番号入力部２２情報処理部３０情報送信部４０情報受信部５０などを有する自動情報読み取り機を自動車の運転席の周辺部に取りつける。【選択図】なし【特許請求の範囲】
【請求項１】
自動情報読み取り機（Ｈ）の外箱（１）の外周部の前面部（１２）の右部に電源入切りボタン（２）を設けて左方にカード挿入口Ａ（３）を設けてこの左方にカード挿入口Ｂ（４）を設けて、そして、カード挿入口Ａ（３）とカード挿入口Ｂ（４）の下方に、表示画面（６）を設けてこの左方に暗証番号入力ボタン（５）を設けて、自動情報読み取り機（Ｈ）の外箱（１）を形成する。自動情報読み取り機（Ｈ）の外箱（１）の内部には、情報読み取り部（２１）と暗証番号入力部（２２）と情報処理部（３０）と情報送信部（４０）と情報受信部（５０）と記憶部（５１）と電源開閉部（６０）と表示部（６１）と感知部（７０）と電源回路（１００）と電源スイッチ（１０１）とを設けて自動情報読み取り機（Ｈ）を構成する。そして、自動情報読み取り機（Ｈ）を使用する。ＩＣカードＡ（１１２）とＩＣカードＢ（１３４）のはじめのＩＣカードＡ（１１２）は、カード（１２４）の表面右側部（１２５）の中央部にＩＣチップ（１１３）を組み合わせてＩＣカードＡ（１１２）を形成し、このＩＣカードＡ（１１２）のＩＣチップ（１１３）に運転免許証所持者が所持する運転免許証に記載されている記載事項のすべてと識別番号と暗証番号とを登録して、表面部（１２６）の余白部の▲１▼場所に、カードＡと記載する。▲２▼の場所に、運転免許証の所持者名を記載する。▲３▼の場所に、凸状の運転免許証番号を打ちこむ▲４▼の場所に、凸状の識別番号を打ちこんでからＩＣカードＡ（１１２）を構成する。そして、ＩＣカードＢ（１３４）は、カード（１４７）の表面右側部（１４８）の中央部にＩＣチップ（１３５）を組み合わせてＩＣカードＢ（１３４）を形成し、このＩＣカードＢ（１３４）のＩＣチップ（１３５）に、自動車の所有者の自動車検査証に記載されている記載事項のすべてと識別番号と暗証番号とを登録して、表面部（１４９）の余白部の▲１５▼の場所に、カードＢと記載する、▲１６▼の場所に、自動車の所有者名を記載する。▲１７▼の場所に、自動車の車種名を記載する。▲１８▼の場所に、自動車の車両番号を記載する、▲１９▼の場所に、凸状の識別番号を打ちこんでからＩＣカードＢ（１３４）を構成する。自動車における、無免許運転防止および自動車の盗難防止に用いる自動情報読み取り機および該読み取り機に使用するＩＣカードＡおよびＩＣカードＢおよびそれらの使用方法。
【発明の詳細な説明】
【発明の詳細な説明】
【技術分野】
【０００１】  本発明は、自動車の運転席の周辺部に自動情報読み取り機をとりつけて、自動車を使用するときは、ＩＣカードＡとＩＣカードＢの２枚を自動車を使用する運転者が所持して自動車を使用することができるようにした。これらのＩＣカードＡとＩＣカードＢの２枚をもたないものが自動車の無免許運転防止と自動車の盗難防止に用いる、自動車における、無免許運転防止および自動車の盗難防止に用いる自動情報読み取り機および該読み取り機に使用するＩＣカードＡおよびＩＣカードＢおよびそれらの使用方法に関する。
【背景技術】
【０００２】  従来の自動車においては、自動車のエンジンキーを使用して自動車のエンジンを作動させて自動車を使用できるようにしている。
【発明か解决しようとする課題】
【０００３】  従来の自動車にあっては、運転免許証を受けていないで自動車を運転できる者や運転免許証停止処分中の者や運転免許証を取り消しになった者などが、白動車のエンジンキーをもって、自動車を使用するために運転席の前面部にとりつけている自動車のエンジンを作動させる点火スイッチのかぎ穴に、該エンジンキーをさしこんで該キーをまわして自動車のエンジンを作動させて、無免許で簡単に自動車を走行させて運転することができるという問題点と、また、前記と同様にして自動車のエンジンを作動させるか、または、自動車のエンジンを作動させる点火スイッチの内部に接続している電源コードをはずして、電源コード線と電源コード線を接続して自動車のエンジンを作動させて、自動車を盗んで逃げるという問題点があった
【０００４】  本発明は、自動車のエンジンキーを使用して、自動車のエンジンを作動させようとしても、自動車のエンジンを作動させることができないようにし、また、自動車のエンジンを作動させる点火スイッチの内部に接続している電源コード線をとりはずしてこの電源コード線と電源コード線を接続して自動車のエンジンを作動させることができなくして、自動車の前照灯・尾灯・ブレーキ灯などの機能をはたらかなくすることで、無免許運転の防止と自動車の盗難を防止し、そして、自動情報読み取り機を自動車の運転席の周辺部に取りつけて、この自動車の所有者がＩＣカードＢを所持し、運転免許証所持者がＩＣカードＡを所持し、自動情報読み取り機を取りつけた自動車を使用しようとしたときには、この自動車の所有者が所持するＩＣカードＢと、自動車を使用する運転者が所持するＩＣカードＡとの２枚を所持して、自動車を使用する。自動車における、無免許運転防止および自動車の盗難防止に用いる、自動情報読み取り機および該読み取り機に使用するＩＣカードＡおよびＩＣカードＢおよびそれらの使用方法を提供することを目的としている。
【課題を解決するための手段】
【０００５】  上記目的を達成するために、自動車における無免許運転防止および自動車の盗難防止に用いる、自動情報読み取り機においては、外箱の外周部の前面部の右側部に、電源入切りボタンを設けて、その左方に、ＩＣカードＡを挿入する、カード挿入口Ａを設けて、その左方に、ＩＣカードＢを挿入するカード挿入口Ｂを設けて，前記のカード挿入口Ａおよびカード挿入口Ｂの下方に、自動車使用可、このカード使用不、暗証番号入力、暗証番号再入力などを表示する表示画面を設けて、その左方に、暗証番号を入力ボタンを設けてから、自動情報読み取り機を形成する。
【０００６】  上記の自動情報読み取り機の外箱の内部に、情報読み取り部、暗証番号入力部、情報処理部、情報送信部、情報受信部、記憶部、電源開閉部、表示部、感知部などからなるこれらのそれぞれの部と、電源回路と電源スイッチとを設けてから、自動情報読み取り機が構成される。
【０００７】  上記の自動情報読み取り機をとりつける場所は、自動車の運転席の周辺部に取付部をネジ又はボルトで取りつけて、この取付部に、自動情報読み取り機をネジまたはボルトで取りつける。
【０００８】  また、上記の自動情報読み取り機の外箱の内部に設けている記憶部に、後述する、自動車の所有者が所持するＩＣカードＢのＩＣチップに登録している暗証番号を記憶させて、この自動車の所有者が所持するＩＣカードＢだけを使用できるようにし、ほかの自動車の所有者が所持するＩＣカードＢの使用を防ぐようにする。
【０００９】  そして、上記の自動情報読み取り機の外箱の内部に設けている、それぞれの機能を作動させるための電源は、自動車のバッテリーの電源を使用して、該バッテリーの電源接続部に、電源コード線の一端を接続して、他方の一端を、自動情報読み取り機の外箱の内部に設けている図２に示す電源スイッチ（１０１）に接続する、そして、自動情報読み取り機の外箱の内部に設けている、それぞれの機能が作動した場合には、図２に示す電源開閉部（６０）で電源を遮断して、電源回路（１００）には通電を止める。
【００１０】  そして、自動車のヒューズボックスの内部に数個のヒューズが取りつけてあり、数個のヒューズの中に、自動車のエンジンを作動させるヒューズと、自動車の前照灯、尾灯、ブレーキ灯の機能をはたらかせるための、それぞれのヒューズの片方に通電をしている電源を接続している電源コード線を取りはずし、また、自動車のエンジンを作動させるためのヒューズの片方に通電をしている電源を接続している電源コード線を取りはずしてそれぞれに取りはずしたヒューズの片方に別の電源コード線の一端を取りつけて、他方の一端を、自動情報読み取り機の外箱の内部に設けている電源回路（１００）に接続する。
【００１１】  また、自動車のエンジンが停止したときには、そのエンジンから発生していた振動波が停止する、この振動波が停止したときを感知するために、自動車のエンジンの外周部で、振動波が停止したときを感知できる２ケ所部に、容易に取りはずされたり、切断されたりなどができないように、それぞれに電源コード線の一端を接続して、他方のそれぞれの一端を、自動情報読み取り機の外箱の内部に設けている感知部に接続する。
【００１２】  そして、上記に説明した電源回路には、通電が止められていることで、自動車のエンジンキーを使用して、自動車のエンジンを作動させようとしても、自動車のエンジンを作動させることができないようにしている。また、自動車の前照灯、尾灯、ブレーキ灯などの機能もはたらかないようにしている。
【００１３】  そして、自動車の運転席の周辺部に取りつけている、自動情報読み取り機に使用するための、前述した、ＩＣカードＡは、図３に示すように、カード（１２４）の表面右側部（１２５）の中央部に、ＩＣチップ（１１３）を組み合わせてＩＣカードＡ（１１２）を形成し、このＩＣカードＡ（１１２）のＩＣチップ（１１３）に、運転免許証所持者が所持する運転免許証に記載されている記載事項のすべてと、識別番号と、暗証番号とを登録して、表面部（１２６）の余白部の▲１▼の場所に、カードＡと記載する、▲２▼の場所に、運転免許証所持者が所持する運転免許証の所持者名を記載する。▲３▼の場所に、凸状の運転免許証番号を打ちこむ、▲４▼の場所に、凸状の識別番号を打ちこんでから、ＩＣカードＡ（１１２）が構成される。そして、構成されたＩＣカードＡ（１１２）を運転免許証所持者が所持する。
【００１４】  上記の運転免許証所持者が所持する、運転免許証に記載されている住所を変更したときに、前記の運転免許証所持者が所持する、ＩＣカードＡを更新することが好ましい。
【００１５】  そして、自動車の運転席の周辺部に取りつけている、自動情報読み取り機に使用するための、前述した、ＩＣカードＢは、図４に示すように、カード（１４７）の表面右側部（１４８）の中夬部に、ＩＣチップ（１３５）を組みあわせてＩＣカードＢ（１３４）を形成し、このＩＣカードＢ（１３４）のＩＣチップ（１３５）に、自動車を所有する所有者の自動車にそなえている、自動車検査証に記載されている記載事項のすべてと、識別番号と、暗証番号とを登録して、表面部（１４９）の余白部の、▲１５▼の場所に、カードＢと記載する、▲１６▼の場所に、自動車検査証に記載されている自動車の所有者名を記載する、▲１７▼の場所に、自動車の車種名を記載する、▲１８▼の場所に、自動車の車両番号を記載する、▲１９▼の場所に、凸状の識別番号を打ちこんでから、ＩＣカードＢ（１３４）が構成される。そして、構成されたＩＣカードＢ（１３４）を自動車所有者が所持する。
【００１６】  そして、運転免許証所持者が所持するＩＣカードＡおよび自動車の所有者が所持するＩＣカードＢおよび自動車の運転席の周の部に自動情報読み取り機を取りつけた自動車側と、情報管理部側とをネットワークでむすび、この情報管理部側の記憶部に、運転免許証所持者が所持するＩＣカードＡのＩＣチップに登録されている情報と、自動車の所有者が所持するＩＣカード１３のＩＣチップに登録されている情報とが、登録されて記憶されてのこる。
【００１７】  そして、自動情報読み取り機を取りつけた自動車を使用しようとするときには、この自動車の所有者が所持する、ＩＣカードＢと、自動車を使用する、運転者が所持するＩＣカードＡの２枚を、その運転者が所持して、自動車の運転席の周辺部に取りつけている、自動情報読み取り機の外箱の外周部の前面部に設けている、電源入切りボタンを操作して電源を入にし、カード挿入口ＡにＩＣカードＡを挿入して、暗証番号入力ボタンに、暗証番号を入力してから、つぎに、カード挿入口Ｂに、ＩＣカードＢを挿入して、暗証番号入力ボタンに、暗証番号を入力すると、ＩＣカードＡのＩＣチップに登録されている情報と、ＩＣカードＢのＩＣチップに登録されている情報とを、自動情報読み取り機の外箱の内部に設けている情報読み取り部が読み取り、該読み取ったそれぞれの情報を、情報処理部に入力され、該情報処理部では、入力されてきたそれぞれの情報のうちの、ＩＣカードＢのＩＣチップに登録されているうちの、暗証番号が一致不一致かを確認するために、情報処理部から暗証番号を、記憶部に入力され、該記憶部では入力されてきた暗証番号と、あらかじめ記憶されいる暗証番号とが一致すると、該一致しているという情報を、その記憶部から情報処理部に伝達され、該伝達されると、情報処理部では、該情報処理部に入力されているそれぞれの情報と、暗証番号入力部から入力されたそれぞれの暗証番号とともに、活字に表わす信号に変換され、該信号に変換されたそれぞれの情報を情報送信部を介して自動車側から、情報管理部側に送信され、該送信されてきたそれぞれ信号を情報管理部側の記憶部が受信し、該記憶部が受信したそれぞれの情報が、記憶部に登録されて記憶されているそれぞれの情報と一致すると、このそれぞれの情報が、情報管理部側の記憶部に記憶されて残り、情報管理部側からそれぞれの情報が一致しているという信号の情報を、自動車側の情報受信部に送信され、該情報受信部が受信したそれぞれの信号の情報を、あらかじめ情報が一致不一致かのそれぞれの異なる信号の情報を確認できるように記憶されている記憶部に入力され、該記憶部では、それぞれの信号の情報が一致すると、該記憶部から情報処理部を介して、電源開閉部に伝達され、該伝達されると電源開閉部で電源を遮断している、該電源を解除し、該解除されると、通電を止められている電源回路に電気が通り、電源開閉部から情報処理部を介して表示部に伝達され、該伝達されると表示部から、自動情報読み取り機の外箱の外周部の前面部に設けている表示画面に自動車使用可と表示され、自動車を使用する運転者は自動車のエンジンキーを使用して、自動車のエンジンを作動させて、自動車を使用することができる。
【００１８】  また、上記の運転者が自動車のエンジンを作動させたあとで、この自動車のエンジンが停止したり、運転者が自動車のエンジンを停止させたときには、その自動車のエンジンから発生していた振動波も停止し、該振動波が停止したときを、自動情報読み取り機の外箱の内部に設けている、感知部が感知し、該感知すると、情報処理部を介して、電源開閉部に伝達され、該伝達されると電源開閉部で電源を遮断して、電源回路には通電が止められてしまうので、該通電が止まると、カード挿入口Ａとカード挿入口Ｂの２ヶ所から、ＩＣカードＡとＩＣカードＢがでてくる、また、初めからその運転者は上記と同様に操作して、自動車のエンジンを作動させようとする、その直前には、上記と同様にそれぞれの情報が、情報管理部側の記憶部に記意されて残こされる。
【００１９】  そして、自動情報読み取り機を取りつけた自動車を使用しようとするためには、この自動車の所有者が所持するＩＣカードＢと、自動車を使用する運転者が所持するＩＣカードＡの２枚を、自動車を使用する、運転者が所持することと、前記のＩＣカードＢとＩＣカードＡの、それぞれの暗証番号を知っている、その運転者だけが、自動情報読み取り機を取りつけた自動車を使用することができるようにした使用方法である。
【００２０】  上記のように構成された自動情報読み取り機を取りつけた自動車を、使用しようとするときには、この自動車の所有者が所持するＩＣカードＢと、自動車を使用する運転者が所持するＩＣカードＡの２枚を、その運転者が所持して、自動車の運転席の周辺部に取りつけている、自動情報読み取り機の外箱の外周部の前面部に設けている、電源入りボタンを操作して電源を入にし、カード挿入口Ａに、ＩＣカードＡを挿入して、暗証番号入力ボタンに、暗証番号を入力してから、次にカード挿入口Ｂに、ＩＣカードＢを挿入して、暗証番号入力ボタンに、暗証番号を入力すると、ＩＣカードＡのＩＣチップに登録されている情報と、ＩＣカードＢのＩＣチップに登録されている情報とを、自動情報読み取り機の外箱の内部に設けている、情報読み取り部が読み取り、該読み取ったそれぞれの情報を、情報処理部に入力され、該情報処理部では入力されてきたそれぞれの情報のうちの、ＩＣカードＢのＩＣチップに登録されているうちの、暗証番号が一致不一致かを確認するために、情報処理部から暗証番号を、記憶部に人力され、該記憶部では、入力されてきた暗証番号と、あらかじめ記憶されている暗証番号とが一致すると、該一致しているという情報を記憶部から情報処理部に伝達され、該伝達されると、情報処理部では、該情報処理部に入力されているそれぞれの情報と、暗証番号入力部から入力されたそれぞれの暗証番号とともに、活字に表わす信号に変換され、該信号に変換されたそれぞれの情報を情報送信部を介して自動車側から、情報管理部側に送信され、該送信されてきたそれぞれの情報を、情報管理部側の記憶部が受信し、該記憶部が受信したそれぞれの情報が、記憶部に登録されて記憶されているそれぞれの情報と一致すると、このそれぞれの情報が、情報管理部側の記憶部に記憶されて残ることで、自動車を使用する運転者が所持する運転免許証に記載されている記載事項のすべての確認と、自動車の所有者が所持するＩＣカードＢのＩＣチップに登録されている自動車検査証に記載されている記載事項のすべての確認ともできる。
【００２１】  そして、自動情報読み取り機を取りつけた自動車を、使用しようとするときには、この自動車の所有者が所持するＩＣカードＢと、運転免許証所持者が所持するＩＣカードＡの２枚を所持して、該２枚を使用しないと、自動車のエンジンを作動させることができないようにすることで、無免許運転を防ぐ、また、自動車のエンジンを作動させることができないようにすることで、無免許運転による自動車事故を防ぐ。
【００２２】  また、自動情報読み取り機を取りつけた自動車のエンジンを作動させようとする者は、この自動車の所有者が所持するＩＣカードＢと、運転免許証所持者が所持するＩＣカードＡの２枚を所持することと、前記のＩＣカードＢとＩＣカードＡのそれぞれの暗証番号がわかっていないと、自動車のエンジンを作動させることができないようにすることで、自動車の盗難を防ぐ。
【００２３】  また、自動車のバッテリーの電源接続部に、電源コード線の一端を接続して、他方の一端を、自動情報読み取り機の外箱の内部の電源スイッチに接続している、この電源コード線を切断して、該切断した電源コード線を、自動車の運転席の前面部に設けている、エンジン点火スイッチボックス内部の電源接続部に接続している、この電源コード線を切断して、該切断した電源コード線とを接続して、自動車のエンジンを作動させたとしても、自動車の前照灯、尾灯、ブレーキ灯などがはたらかなくしていることで、自動車の盗難を防ぐ。
【発明の実態の形態】
【００２４】  発明の実施の形態を実施例にもとづき図面を参照して説明する。図１において、自動情報読み取り機Ｈの外箱１の前面部１２の右側に、電源を入切りするための、電源入切りボタン２を設けて、その左方に、図３のＩＣカードＡ１１２を挿入する、カード挿入口Ａ３を設けて、その左方に、図４のＩＣカードＢ１３４を挿入する、カード挿入口Ｂ４を設けて、前記のカード挿入口Ａ３およびカード挿入口Ｂ４の下方に、自動車使用可、このカード使用不、暗証番号入力、暗証番号再入力などを表示する、表示画面６を設けて、その左方に、暗証番号入力ボタン５設けてから形成している。
【００２５】  図２において、図１の自動情報読み取り機Ｈの外箱１の内部の情報の流れを示す平面図であり、図１に示すカード挿入口Ａ３に、図３に示すＩＣカードＡ１１２を挿入して、図１の暗証番号入力ボタン５に、暗証番号を入力してから、つぎに、図１のカード挿入口Ｂ４に、図４に示すＩＣカー１Ｂ１３４を挿入して、図１の暗証番号入力ボタン５に暗証番号を入力する。そして、図２の、情報読み取り部２１が、図３のＩＣカードＡ１１２のＩＣチップ１１３に登録されている情報と、図４のＩＣカードＢ１３４のＩＣチップ１３５に登録されている情報とを読み取り、情報読み取り部２１がそれぞれの情報を情報処理部３０に入力されて、該入力されてきた情報のうちで図４のＩＣカードＢ１３４のＩＣチップ１３５に登録されている。暗証番号が一致不一致かを確認するために、記憶部５１に入力され、あらかじめ記憶されている記憶部５１と一致すると、記憶部５１は情報処理部３０に暗証番号は一致していると伝達し、該伝達されると情報処理部３０では、暗証番号入力部２２から暗証番号の入力の情報と、それぞれの入力している情報を活字にあらわす信号に変換され，該変換された信号を、情報送信部４０を介して、自動車側から、情報管理部側に送信され、該送信されてきたそれぞれの情報を、情報管理部側の記憶部が受信し、該記憶部が受信したそれぞれの情報が、記憶部に登録されて記憶されているそれぞれの情報と一致すると、このそれぞれの情報が、情報管理部側の記憶部に記憶されて残り、情報管理部側からそれぞれの情報が一致しているという信号の情報を、自動車側の情報受信部５０に送信され、該情報受信部５０が受信したそれぞれの信号の情報を、あらかじめ情報が一致不一致かのそれぞれの異なる信号の情報を確認できるように記憶されている、記憶部５１に入力され該記憶部５１では、それぞれの情報が一致すると、この記憶部５１から情報処理部３０を介して電源開閉部６０に伝達され、該伝達されると、電源開閉部６０で電源を遮断している電源を解除し、該解除されると、通電が止められている電源回路１００に電気が通り、該電源開閉部６０から情報処理部３０を介して表示部６１に伝達され、該伝達されると表示部６１から、自動情報読み取り機Ｈの外箱１の外周部の前面部１２に設けている表示画面６に自動車使用可と表示される。自動車を使用する運転者は自動車のエンジンキーを使用して、自動車のエンジンを作動させて、自動車を使用することができる。
【００２６】  また、上記の運転者が自動車のエンジンを作動させたあとで、この自動車のエンジンが停止したり、運転者が自動車のエンジンを停止させたときには、そのエンジンから発生していた振動波も停止し、該振動波が停止したときを、自動情報読み取り機Ｈの外箱１の内部に設けている感知部７０で感知し、該感知すると、情報処理部３０を介して、電源開閉部６０に伝達され、該伝達されると電源開閉部６０で電源を遮断して、電源回路１００には通電が止められてしまうので、該通電が止まると、カード挿入口Ａ３に、はいっているＩＣカードＡ１１２と、カード挿入口Ｂ４に、はいっているＩＣカードＢ１３４との２ケ所からＩＣカードＡ１１２とＩＣカードＢ１３４とがでてくる。また運転者は初めから上記と同様に操作して、自動車のエンジンを作動させようとする、その直前には、上記と同様にそれぞれの情報が、情報管理部側の記憶部に記憶されて残こされることで構成されている。
【００２７】  図３においては、カード１２４の表面右側部１２５の中央部に、ＩＣチップ１１３を組み合わせてＩＣカードＡ１１２を形成し、そして、ＩＣカードＡ１１２に組み合わせたＩＣチップ１１３に、運転免許証所持者が所持する、運転免許証に記載されている記載事項のすべてと、識別番号と、暗証番号とを登録して、また、ＩＣカードＡ１１２の表面部１２６の余白部の、▲１▼の場所に、カードＡと記載する、▲２▼の場所に、運転免許証の所持者名を記載する、▲３▼の場所に凸状の運転免許証番号を打ちこむ、▲４▼の場所に、凸状の識別番号を打ちこんでからＩＣカードＡ１１２を構成する。
【００２８】  図４においては、カード１４７の表面右側部１４８の中央部に、ＩＣチップ１３５を組み合わせてＩＣカードＢ１３４を形成し、そして、ＩＣカードＢ１３４に組み合わせた、ＩＣチップ１３５に、自動車を所有する所有者の自動車にそなえている、自動車検査証に記載されている記載事項のすべてと、識別番号と、暗証番号とを登録して、また、ＩＣカードＢ１３４の表面部１４９の余白部の、▲１５▼の場所に、カードＢと記載する、▲１６▼の場所に、自動車の所持者名を記載する、▲１７▼の場所に、自動車の車種名を記載する、▲１８▼の場所に、自動車の車両番号を記載する、▲１９▼場所に、凸状の識別番号を打ちこんでから、ＩＣカードＢ１３４を構成する。
【発明の効果】
【００２９】  本発明は、以上説明したように構成されているので、以下に記載されるような効果を奏する。
【００３０】  運転免許証所有者が所持するＩＣカードＡと、自動車の所有者が所持するＩＣカードＢと、自動情報読み取り機を、自動車の運転席の周辺部に取りつけた自動車側と、情報管理部側とをネットワークでむすぶことで、自動情報読み取り機を取りつけた自動車を使用しようとして、この自動車の所有者が所持するＩＣカードＢと、自動車を使用する運転免許証を所持する運転者が所持するＩＣカードＡとの２枚を所持して、運転者は、自動車を所持する所持者から、ＩＣカードＢの暗証番号を、きいておくべしであり、この自動車の所有者が所持するＩＣカードＢと、自動車を使用する運転者が所持するＩＣカードＡの２枚を、その運転者が使用して、自動車のエンジンを作動させようとする、その直前には、前記のＩＣカードＡのＩＣチップに登録されている情報と、ＩＣカードＢのＩＣチップに登録されている情報とのそれぞれの情報が、情報管理部側の記憶部に記憶されていることで、ＩＣカードＡのＩＣチップに登録されている、運転免許証に記載されている記載事項のすべての確認と、また、ＩＣカードＢのＩＣチップに登録されている、自動車検査証に記載されている記載事項のすべての確認とができる。
【００３１】  そして、自動情報読み取り機を取りつけた自動車を使用しようとするときには、この自動車の所有者が所持する、ＩＣカードＢと、運転免許証所持者が所持する、ＩＣカードＡの２枚を所持して、該２枚を使用しないと、自動車のエンジンを作動させることができないようにすることで、無免許運転防止をすることができる。また、自動車のエンジンを作動させることができないようにすることで、無免許運転による自動車事故をなくすことができる。
【００３２】  また、自動情報読み取り機を取りつけた自動車のエンジンを作動させようとするときは、この自動車以外の、自動車の所有者が所持するＩＣカードＢの使用を防ぐようにしているので、他人のＩＣカードＢと、運転免許証所持者が所持する、ＩＣカードＡの２枚を運転者が所持して、それぞれの暗証番号がわかっていても、自動車のエンジンを作動させることができないようにしていることで、自動車の盗難を防止することができる。
【００３３】  また、自動車のバッテリーの電源接続部に、電源コード線の一端を接続して、他方の一端を、自動情報読み取り機の外箱の内部の電源スイッチに接続している、この電源コード線を切断して、該切断した電源コード線を、自動車の運転席の前面部に設けている、エンジン点火スイッチボックス内部の電源接続部に、切断した電源の一端を接続して、自動車のエンジンを作動させたとしても自動車の前照灯、尾灯、ブレーキ灯などの機能がはたらかなくしていることで、自動車の盗難を防止することができる。
【図面の簡単な説明】
【図１】  自動情報読み取り機の斜視図である。
【図２】  図１の自動情報読み取り機の外箱の内部におさめている情報処理部の流れ示す平面図である。
【図３】  ＩＣカードＡの表面図である。
【図４】  ＩＣカードＢの表面図である。
【符号の説明】
Ｈ        自動情報読み取り機
１        外箱
２        電源入切りボタン
３        カード挿入口Ａ
４        カード挿入口Ｂ
５        暗証番号入力ボタン
６        表示画面
１２      前面部
１３      右側部
２１      情報読み取り部
２２      暗証番号入力部
３０      情報処理部
４０      情報送信部
５０      情報受信部
５１      記憶部
６０      電源開閉部
６１      表示部
７０      感知部
１００    電源回路
１０１    電源スイッチ
１１２    ＩＣカードＡ
１１３    ＩＣチップ
運転免許証所持者が所持する運転免許証に記載されている記載事項のすべてと、識別番号と、暗証番号とを、ＩＣチップ１１３に登録する。
１２４    カード
１２５    表面右側部
１２６    表面部
▲１▼    カードＡと記載する
▲２▼    運転免許証所持者が所持する運転免許証の所持者名を記載する
▲３▼    凸状の運転免許証番号を打ちこむ
▲４▼    凸状の識別番号を打ち込む
１３４    ＩＣカードＢ
１３５    ＩＣチップ
自動車を所有する所有者の自動車にそなえている自動車検査証に記載されている記載事項のすべてと、識別番号と、暗証番号とをＩＣチップ１３５に登録する
１４７    カード
１４８    表面右側部
１４９    表面部
▲１５▼  カードＢと記載する
▲１６▼  自動車の所有者名を記載する
▲１７▼  自動車の車種名を記載する
▲１８▼  自動車の車両番号を記載する
▲１９▼  凸状の識別番号を打ちこむ
【図１】
2005053457.tif 000002
【図２】
2005053457.tif 000003
【図３】
2005053457.tif 000004
【図４】
2005053457.tif 000005